(57)【要約】      （修正有）【課題】開口部を開閉する引き戸装置を、複数の戸体を用いて構成したものにおいて、バランスがよく、しかも、円滑な走行をする引き戸装置に構成する。【解決手段】戸先側となる第一戸体２に設けた第一案内ローラ５を、第一走行レール６に移動自在に設ける一方、前記第一走行レール６の戸尻側部位を、戸尻側となる第二戸体３の板厚方向中間部に一体的に設けて、第一戸体２が第二戸体３内から出没自在となるよう構成する一方、第一走行レール６の戸先側部位と第二戸体３とに設けた第二案内ローラ７を、躯体に設けた第二走行レール８に移動自在に設ける構成とする。【選択図】図２
2006104830.tif 000002
【特許請求の範囲】
【請求項１】
複数枚の戸体が開口部の戸先側から戸尻側のあいだに引き出される全閉姿勢と、これら戸体が戸尻に設けた戸袋部に収納される全開姿勢とのあいだを開閉作動する引き戸装置において、開閉作動の過程で戸尻側に位置する戸尻側戸体の板厚方向中間部から戸先側に延出する戸体走行レールに、該戸尻側戸体の戸先側に隣接する戸先側戸体に設けた案内ローラ、または、戸先側戸体と該戸先側戸体の板厚方向中間部から戸先側に延出する戸体走行レールとに設けた案内ローラを移動自在に支持し、戸先側戸体を戸尻側戸体に対して出没自在な構成とするとともに、全閉姿勢で戸袋に隣接する戸尻側戸体と、該戸尻側戸体の板厚方向中間部から戸先側に延出する戸体走行レールとに設けた案内ローラを、躯体に設けた躯体走行レールに移動自在に支持した引き戸装置。
【請求項２】
戸先側と戸尻側の第一、第二戸体とが開口部の戸先側から戸尻側のあいだに引き出される全閉姿勢と、第一、第二戸体とが戸尻側の戸袋部に収納される全開姿勢とのあいだを開閉作動する引き戸装置において、第一戸体に設けた第一案内ローラを第一走行レールに移動自在に支持する一方、該第一走行レールの戸尻側部位を第二戸体の板厚方向中間部に一体的に設けて、第一戸体を第二戸体に対して出没自在な構成とするとともに、第一走行レールの戸先側部位と第二戸体とに設けた第二案内ローラを、躯体に設けた第二走行レールに移動自在に支持した引き戸装置。
【請求項３】
請求項１または２において、戸体全体の重心位置は、躯体走行レールのレール長方向両端部に支持した案内ローラのあいだに位置するように構成されている引き戸装置。
【請求項４】
請求項１乃至３において、引き戸装置には、開閉操作に伴い各戸体を連動して開閉する連動機構が設けられている引き戸装置。
【請求項５】
請求項４において、連動機構は、各戸体を所定の速度比で開閉作動するように構成されている引き戸装置。
【請求項６】
請求項１乃至５の何れかにおいて、引き戸装置には、各戸体の開放作動に伴い閉鎖方向に付勢される自閉装置が設けられている引き戸装置。
【請求項７】
請求項６において、自閉装置は、全閉姿勢で開口部の戸先側に隣接する戸先側戸体に連動連結されている引き戸装置。
【請求項８】
請求項１乃至７の何れかにおいて、引き戸装置には、開口部を全閉する少し前の閉鎖作動の過程で、各戸体の閉鎖作動を制動する制動装置が設けられている引き戸装置。
【発明の詳細な説明】
【技術分野】
【０００１】
本発明は、例えば病院や福祉施設等に設けられる引き戸装置の技術分野に属するものである。
【背景技術】
【０００２】
一般に、この種引き戸装置のなかには、開口部に戸先側と戸尻側との一対の第一、第二戸体を設け、これら第一、第二戸体とが操作方向に並列して開口部を閉鎖する閉鎖姿勢と、第一、第二戸体が戸尻側の躯体に形成された戸袋部内に収納されて開口部を開放する開放姿勢とに変姿するように構成したものがある。このような引き戸装置において、第一、第二戸体を、板厚方向に積層する状態で配設する構成とした場合、戸袋部の開口は、第一、第二戸体の各板厚二枚分の大きさの隙間に形成されており、後行して戸袋内に収納される第一戸体が戸袋内に収容されるときでは、戸袋部の開口に第一戸体板厚分の隙間が形成されていて、該隙間に手等を引き込まれる惧れがある。
【０００３】
この改善策として、戸尻側の第二戸体を戸袋の開口に相当する板厚とする一方、第一戸体を第二戸体の板厚方向中間部に出没自在に収納できる構成として、戸袋と第二戸体とのあいだに大きな隙間ができないように構成したものが提唱されている。
【特許文献１】特開２０００−１９２７４０号公報
【発明の開示】
【発明が解決しようとする課題】
【０００４】
ところで、前記従来のものにおいて、第一、第二戸体は吊持式に構成されており、各戸体にはそれぞれ一対の案内ローラが設けられ、これら案内ローラが上方に設けた第一、第二戸体用の第一、第二走行レールをそれぞれ移動自在に走行することにより軽快な開閉作動ができるようにしている。そして、これら第一、第二走行レールのうち、第二戸体用の第二走行レールは開口部上方の躯体に固定されているが、第一戸体用の第一走行レールは、第一戸体が第二戸体に内装される構成であるため、第一走行レールの戸尻側部位が第二戸体の板厚方向中間部に設けられ、第一走行レールの戸先側部位が第二戸体から戸先側に突出する状態となっている。このため、第一戸体に設けた一対の案内ローラを両者とも第一走行レールに吊持させると、第一戸体の荷重の全てが第二戸体に作用することになり、戸体を閉鎖姿勢として第一戸体が第二戸体の戸先側に並列したとき、第一戸体は第二戸体に片持ちされる状態となって、第二戸体の案内ローラに作用する荷重がアンバランスになってしまう。そこで、前記従来のものでは、第一戸体の戸尻側の案内ローラは第一走行レールに吊持するが、戸先側の案内ローラは第二走行レールに吊持するように構成して、第二走行レールに作用する荷重がアンバランスにならないように配慮している。
しかるに、このようにした場合、第一戸体に設けられる案内ローラは、第一、第二走行レールにそれぞれ吊持されており、各吊持部までの上下方向長さがそれぞれ異なっていて、戸先側の案内ローラの軸承部は、戸尻側のものの軸承部よりも上位に位置しており、その分戸先側のローラブラケットの上下長さが長く形成されている。このため、第一戸体は、戸先側部位については戸体面に直交する方向の力に対する強度が低下してしまうという問題がある。さらに、第二戸体に設けられた案内ローラは、ともに躯体側の第二走行レールを走行する構成となっている。このため、これら案内ローラ同士の対向距離は第二戸体の左右幅よりも大きく設定することはできず、第二戸体はレール長方向に狭い対向間を存した案内ローラによる走行になるため、安定な走行が損なわれてしまうという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、複数枚の戸体が開口部の戸先側から戸尻側のあいだに引き出される全閉姿勢と、これら戸体が戸尻に設けた戸袋部に収納される全開姿勢とのあいだを開閉作動する引き戸装置において、開閉作動の過程で戸尻側に位置する戸尻側戸体の板厚方向中間部から戸先側に延出する戸体走行レールに、該戸尻側戸体の戸先側に隣接する戸先側戸体に設けた案内ローラ、または、戸先側戸体と該戸先側戸体の板厚方向中間部から戸先側に延出する戸体走行レールとに設けた案内ローラを移動自在に支持し、戸先側戸体を戸尻側戸体に対して出没自在な構成とするとともに、全閉姿勢で戸袋に隣接する戸尻側戸体と、該戸尻側戸体の板厚方向中間部から戸先側に延出する戸体走行レールとに設けた案内ローラを、躯体に設けた躯体走行レールに移動自在に支持したものである。
そして、このようにすることにより、各戸体をバランスよく吊持できるうえ、円滑な走行とすることができる。
請求項２の発明は、戸先側と戸尻側の第一、第二戸体とが開口部の戸先側から戸尻側のあいだに引き出される全閉姿勢と、第一、第二戸体とが戸尻側の戸袋部に収納される全開姿勢とのあいだを開閉作動する引き戸装置において、第一戸体に設けた第一案内ローラを第一走行レールに移動自在に支持する一方、該第一走行レールの戸尻側部位を第二戸体の板厚方向中間部に一体的に設けて、第一戸体を第二戸体に対して出没自在な構成とするとともに、第一走行レールの戸先側部位と第二戸体とに設けた第二案内ローラを、躯体に設けた第二走行レールに移動自在に支持したものである。
そして、このようにすることにより、各戸体をバランスよく吊持できるうえ、円滑な走行とすることができる。
請求項３の発明は、請求項１または２において、戸体全体の重心位置は、躯体走行レールのレール長方向両端部に支持した案内ローラのあいだに位置するように構成されているものであり、このようにすることにより、戸体走行レールが片持ち状とならず、各戸体の開放状態に関係なく、案内ローラを介して躯体走行レールに作用する荷重をバランスのよいものにできる。
請求項４の発明は、請求項１乃至３において、引き戸装置には、開閉操作に伴い各戸体を連動して開閉する連動機構が設けられているものであり、このようにすることにより、操作性のよい引き戸装置とすることができる。
請求項５の発明は、請求項４において、連動機構は、各戸体を所定の速度比で開閉作動するように構成されているものであり、このようにすることにより、各戸体の開閉操作を操作性のよいものにできる。
請求項６の発明は、請求項１乃至５の何れかにおいて、引き戸装置には、各戸体の開放作動に伴い閉鎖方向に付勢される自閉装置が設けられているものであり、このようにすることにより、各戸体の閉鎖操作を自動的に行えて、引き戸装置の操作性が一層向上する。
請求項７の発明は、請求項６において、自閉装置は、全閉姿勢で開口部の戸先側に隣接する戸先側戸体に連動連結されているものであり、このようにすることにより、自閉装置による閉鎖作動を軽快に行うことができる。
請求項８の発明は、請求項１乃至７の何れかにおいて、引き戸装置には、開口部を全閉する少し前の閉鎖作動の過程で、各戸体の閉鎖作動を制動する制動装置が設けられているものであり、このようにすることにより、開口部の戸先側枠体と、これに隣接する戸先側戸体とが衝接することがない。
【発明の効果】
【０００６】
請求項１の発明とすることにより、各戸体をバランスよく吊持できるうえ、円滑な走行とすることができる。
請求項２の発明とすることにより、第一、第二戸体をバランスよく吊持できるうえ、円滑な走行とすることができる。
請求項３の発明とすることにより、戸体走行レールが片持ち状とならず、各戸体の開放状態に関係なく、案内ローラを介して躯体走行レールに作用する荷重をバランスのよいものにできる。
請求項４の発明とすることにより、操作性のよい引き戸装置とすることができる。
請求項５の発明とすることにより、各戸体の開閉操作を操作性のよいものにできる。
請求項６の発明とすることにより、各戸体の閉鎖操作を自動的に行えて、引き戸装置の操作性が一層向上する。
請求項７の発明とすることにより、自閉装置による閉鎖作動を軽快に行うことができる。
請求項８の発明とすることにより、開口部の戸先側枠体と、これに隣接する戸先側戸体とが衝接することがない。
【発明を実施するための最良の形態】
【０００７】
つぎに、本発明の実施の形態について、図１〜６の図面に基づいて説明する。
図面において、１は、建物内に形成される各室への出入り口部に設けられる引き戸装置であって、該引き戸装置１の戸体は、操作方向（作動方向であって、左右方向）一対の第一、第二戸体（本発明の戸先側戸体、戸尻側戸体に相当する）２、３とを備えて構成されている。これら第一、第二戸体２、３は、開口部の戸尻側部を構成する躯体壁体に形成された戸袋部４に収納されて開口部を開放する全開姿勢から、第一、第二戸体２、３が戸袋部４から引出されて、戸先側と戸尻側とに並列して開口部を閉鎖する全閉姿勢とのあいだを変姿することで、開口部の開閉を行う構成となっていること等は従来通りである。
【０００８】
前記戸袋部４は、躯体壁体を構成する表裏一対の壁面４ａのあいだに戸先側に開口４ｂが形成された凹溝部４ｃに形成されており、該凹溝部４ｃの溝幅Ｔ１は、前記閉鎖姿勢で開口部戸尻側に配される第二戸体３の板厚Ｔ２より大きく設定されており、戸袋部４と第二戸体３とのあいだに形成される隙間に手や指が入り込まない程度の小さい隙間になるように設定されている。
前記第二戸体３は、一対の表裏パネル体３ａの上下および戸尻側部を連結板３ｂにより一体化して構成されており、板厚Ｔ２を有して戸袋部４に収容可能となる大きさに形成されている。さらに、第二戸体３は、表裏パネル体３ａ間（第二戸体３の板厚方向中間部）に、戸先側に開口３ｃが形成された凹溝部３ｄに形成されており、該凹溝部３ｄは溝幅Ｔ３に設定されている。
さらに、第一戸体２は、前記第二戸体凹溝部３ｄの溝幅Ｔ３よりも小さい板厚Ｔ４を有したパネル体で構成されており、第二戸体凹溝部３ｃ内に収納可能な形状に形成されている。
【０００９】
そして、第一戸体２を構成する上端面２ａには、左右方向二箇所において上方に突出するローラブラケット５ａが一体的に設けられており、これらローラブラケット５ａに、それぞれ凹状の転動面５ｂを備えた第一案内ローラ５が回転自在に軸承されている。ここで、前記一対の第一案内ローラ５は、ともに第一戸体２の上端面２ａから高さ方向に同寸法の間隔を存して配設（軸承）されており、これによって、各第一案内ローラ５が設けられるローラブラケット５ａの突出長さは同寸法となっている。
一方、６は第一戸体２が移動案内を受ける第一走行レール（本発明の戸体走行レールに相当する）であって、該第一走行レール６は、戸尻側部位が第二戸体凹溝部３ｄ内側の上縁部に一体的に設けられており、戸先側部位は第二戸体３の戸先側端縁から戸先側に向けて突出する突出部６ａとなっていて、第二戸体３に片持ち状に支持されている。前記第一走行レール６は、上端面６ｂが第二戸体３の上端面３ｅと面一状になるように設けられている。さらに、第一走行レール６の上下方向中間部には、上下一対のレール部６ｃが形成されており、これらレール部６ｃに、前記第一戸体２に設けられた一対の第一案内ローラ５の転動面５ｂが、それぞれ転動自在な状態で係合されている。これによって、第一戸体２は、第一走行レール６に吊持状に支持され、第二戸体３内に収納される状態から、第一走行レール６に沿って走行して突出部６ａ側に移動し、第二戸体３と左右方向に並列する状態となるよう、第二戸体３内から出没自在となるように構成されている。尚、上下一対のレール部６ｃのうち、上側のレール部６ｃは、引き戸装置１の開閉作動時における第一案内ローラ５の浮き上がりを防止しており、これによって、案内ローラ５（第一戸体２）の第一走行レール６からの外れ止めをするように設定されている。
前述したように、前記第一戸体２の第一走行レール６走行状態において、第一戸体２は、一対の第一案内ローラ５が両者ともに第一走行レール６に吊持される構成となっていて、第一戸体２の上端面から各第一案内ローラ５までの距離が同様となっている。これによって、第一戸体２は、第一走行レール６に対し安定した吊持状態を維持して走行するように構成されている。
【００１０】
さらに、第一走行レール突出部６ａ側の戸先側部位の上端面６ｂと、第二戸体３の上端面３ｅに相当する第一走行レール６の戸尻側部位との各部位には、上方に突出するローラブラケット７ａが一体的に設けられている。そして、これら一対のローラブラケット７ａに、凹状の転動面７ｂを備えた第二案内ローラ７がそれぞれ回転自在に軸承されているが、これら第二案内ローラ７の配設位置は、後述するように、開閉作動の過程で変化する第一、第二戸体２、３全体の重心位置が、これら一対の第二案内ローラ７の配設位置のあいだに位置するように設定されている。ここで、前記一対の第二案内ローラ７の軸承位置は、略面一状となっている第二戸体上端面３ｅと第一走行レール突出部６ａの上端面６ｂとから同間隔を存しており、これによって、各第二案内ローラ７が設けられるローラブラケット７ａの突出長さを同寸法とすることができる。
【００１１】
一方、８は開口部上方の壁体から戸袋部４の裏面板４ａに至る部位の上方に位置して設けられる第二走行レール（本発明の躯体走行レールに相当する）であって、該第二走行レール８は、上方に突出するレール部８ａを備えて構成されており、これらレール部８ａに、前記第二戸体３相当部位および第一走行レール突出部６ａに設けられた一対の第二案内ローラ７の転動面７ｂが転動自在な状態で係合されており、これによって、第二戸体３は第一走行レール６とともに第二走行レール８に吊持支持され、レール長方向に沿って移動走行が自在となるように設定されている。そして、第二戸体３は、第二戸体３が戸袋部４内に収納される位置から、戸袋部４の戸先側に隣接する位置までのあいだを、第一走行レール６とともに第二走行レール８に沿って移動走行するように設定されている。
このとき、一対の第二案内ローラ７は、両者ともに第二走行レール８に吊持される構成となっていて、第一走行レール上端面６ｂおよび第二戸体上端面３ｅと各第二案内ローラ７との高さ方向の距離が略同距離で、しかも、第二戸体上端面３ｅと第二案内ローラ７の吊持支点とが近接した状態で配設されている。さらには、これら第二案内ローラ７は、第二戸体３と、該第二戸体３から戸先側に延出する第一走行レール６とに配設されるため、レール長方向の対向間が長く確保されている。これによって、第二戸体３は、第二走行レール８に対し安定した吊持状態を維持して走行できるように構成されている。
尚、９は、開口部上方に配設されるカバー体であって、該カバー体９は、第一、第二走行レール６、８配設部位の表側を覆蓋する部材である。
【００１２】
さらに、このように構成された第一、第二戸体２、３とには、本発明の連動機構が設けられている。
つまり、第一走行レール６の上端面６ｂには、戸先側端部（突出部６ａの戸先側端部）に位置して、上下方向を向く支軸１０ａの下端部が固定されており、該支軸１０ａに、戸先側プーリ１０を構成するプーリ部１０ｂが回転自在に軸承されている。さらに、第一走行レール６の戸尻側であって、第二戸体３に一体化された部位の上端面６ｂ（第二戸体上端面３ｅ相当部位）であって、第二案内ローラ７のローラブラケット７ａ配設位置よりは戸先側部位に位置して、上下方向を向く支軸１１ａの下端部が固定されており、該支軸１１ａに、戸尻側プーリ１１を構成するプーリ部１０ｂが回転自在に軸承されている。
一方、開口部上方の壁体には、第一、第二戸体２、３を全閉姿勢にした状態において、前記第一走行レール６の上部に設けた戸尻側プーリ１１の配設位置よりは戸先側に位置してベルト固定部１２が設けられている。前記ベルト固定部１２の戸先側固定部１２ａには、先端が戸先側に延出する第一ベルト１３の基端部が固定され、戸尻側固定部１２ｂには、先端が戸尻側に延出する第二ベルト１４の基端部が固定されている。
【００１３】
そして、戸先側に延出する第一ベルト１３の延出先端部は、戸先側プーリ１０を摺動自在に懸け回された状態で、第一戸体２の戸先側のローラブラケット５ａ側に引き回され、該ローラブラケット５ａに一体形成されたベルト連結体１５の戸先側端部に固定されている。一方、戸尻側に延出する第二ベルト１４の延出先端部は、戸尻側プーリ１１を摺動自在に懸け回された状態で、第一戸体２の戸先側のローラブラケット５ａ側に引き回され、該ローラブラケット５ａに一体形成されたベルト連結体１５の戸尻側端部に固定されている。このように、躯体側のベルト固定部１２と、第一戸体２側のベルト連結体１５とのあいだを、それぞれ第二戸体３の戸先側プーリ１０と戸尻側プーリ１１とを介して第一、第二ベルト１３、１４により連結することにより、第一、第二戸体２、３とが連動連結されるように設定されている。
そして、第一戸体２に開、閉何れかの作動力が作用したときでは、ベルト連結体１５が、第二、第一ベルト１４、１３を引っ張り、これによって、第二戸体３を開、閉何れかの方向に連動作動せしめるように設定されている。このとき、戸尻側、戸先側プーリ１１、１０は、それぞれ動滑車として機能することになり、所定の速度で開閉操作される第一戸体２に対し、第二戸体３は、第一戸体２の半分の速度で開閉作動するように設定されている。
一方、第二戸体３に開、閉何れかの作動力が作用したときでは、戸尻側、戸先側プーリ１１、１０により第二、第一ベルト１４、１３を引っ張り、これによって、第一戸体２を開、閉何れかの方向に連動作動せしめるように設定されている。また、このときも、戸尻側、戸先側プーリ１１、１０は、それぞれ動滑車として機能し、所定の速度で開閉操作される第二戸体３に対し、第一戸体２は二倍の速度で開閉作動するように設定されている。
【００１４】
尚、本実施の形態では、戸先側の第一戸体２に把手２ｂが設けられており、該把手２ｂを把持することで、軽快な開放操作ができるように構成されている。
一方、本実施の形態の引き戸装置１には、第一、第二戸体２、３を自動的に閉鎖させる自閉装置１６が設けられており、把手２ｂを把持して開放操作をし、第一、第二戸体２、３を必要なだけ開放させた後に把手２ｂを放すことで、第一、第二戸体２、３が自動的に閉鎖するように構成されている。
前記自閉装置１６は、開口部上方の壁体の戸先側部端部に配設されており、該自閉装置１６には図示しない巻装具が設けられ、該巻装具に巻装されたワイヤ１６ａの先端部が、自閉装置１６を構成するケーシング１６ｂから下方に向けて延出する構成となっている。そして、ワイヤ１６ａの延出端部は、第一戸体２側の前記ベルト連結体１５に一体形成された取り付け片部１５ａに連結され、第一戸体２の開放作動に伴いワイヤ１６ａがケーシング１６ｂから引き出されるように設定されており、該ワイヤ１６ａの引き出しに基づいて巻装具にはワイヤ１６ａを巻き取る方向の蓄勢力が蓄勢されるように設定されている。これによって、開放操作が解消されたとき、第一戸体２は巻装具の蓄勢力を受けたワイヤ１６ａにより引っ張られる状態で閉鎖方向に移動し、これに伴い第一、第二戸体２、３の閉鎖作動がなされるように設定されている。
因みに、１６ｃは、ワイヤ１６ａの引き出し部に設けられた一対のローラであって、これらローラ１６ｃに沿ってワイヤ１６ａの引き出し、引き込みがなされることにより、ワイヤ１６ａの巻装具への円滑な巻き出し、巻き取り操作ができるように構成されており、これによって、円滑な自閉作動ができるように構成されている。
また、自閉装置１６は、第二戸体３側に連結してもよく、この場合では、第一、第二戸体２、３の開放作動に伴う自閉装置１６の巻装具に蓄勢される蓄勢力を大きく設定しておく。
【００１５】
また、本実施の形態の引き戸装置１には、第一、第二戸体２、３を全開姿勢に変姿せしめたとき、該全開姿勢を維持するためのストッパ装置１７が設けられている。該ストッパ装置１７は、第二戸体３側（第一走行レール６の戸先側）に設けられたローラブラケット７ａに上方に突出する状態で設けられたストップローラ１７ａと、開口部上方に固定され、下方に突出する山状の傾斜面１７ｂが形成され、所定の押圧力で上動（押動）するローラ受け具１７ｃとにより構成されている。そして、開放操作がなされたとき、第一、第二戸体２、３の開放操作力が大きく、ストップローラ１７ａがローラ受け具１７ｃの傾斜面１７ｂを押圧して強制的にローラ受け具１７ｃを上動させることにより、第一、第二戸体２、３が全開姿勢になるとともに、ストップローラ１７ａが傾斜面１７ｂを乗り越えてローラ受け具１７ｂに係合するように設定されている。これによって、第一走行レール６と第二戸体３を介して第一、第二戸体２、３の全開姿勢の姿勢保持がなされるが、このとき、第一、第二戸体２、３には自閉装置１６による閉鎖方向への引っ張り力が作用している。このため、ローラ受け具１７ｃを強制上動（強制押動）させるのに必要な作動力を、自閉装置１６の巻装具に第一、第二戸体２、３の全開姿勢で蓄勢される蓄勢力よりも大きく設定し、これによって、第一、第二戸体２、３を全開姿勢に保持するように構成されている。
これに対し、前記全開姿勢の解除は、第一、第二戸体２、３に対し、ストップローラ１７ａが傾斜面１７ｂを押圧して、ローラ受け具１７ｃを強制上動させるのに必要な作動力を上回る操作力で閉鎖操作をすることにより、全開姿勢保持が解除され、該解除後は、自閉装置１６の作動を受けて閉鎖するように設定されている。
ここで、前記ストッパ装置１７は、第二戸体３側に連動連結されているが、第一戸体２側に直接連動連結することも可能である。
【００１６】
さらに、１８は制動装置であって、該制動装置１８は、第一、第二戸体２、３が全閉姿勢となる過程で、第一戸体２が開口部を構成する戸先側の枠体に衝撃的に当接するのを防止するように設定されている。この制動装置１８は、第二戸体３（第一走行レール６）と一体的に作動するローラブラケット７ａに設けられるピニオン１８ａと、第二走行レール８に配されたラック１８ｂとを備えて構成され、第二戸体３が全閉姿勢となる前の段階でピニオン１８ａがラック１８ｂ上を走行することで制動されるように設定され、これによって、第一戸体２の戸先側端面が開口部の戸先側枠体に衝接するような不具合をなくすことができるように構成されている。
【００１７】
このように構成された引き戸装置１において、第一、第二戸体２、３は、第一戸体２に配された把手２ｂを把持して開放操作することにより、該第一戸体２の開放作動に連動して第二戸体３が開放するが、このとき、第二戸体３は、戸先側プーリ１０に懸回された第一ベルト１３を介して開放方向の作動力を受けて作動する。この状態において、第一ベルト１３は、ベルト固定部１２の戸先側固定部１２ａを支点とし、第二戸体３に設けられた戸先側プーリ１０を巻回して第一戸体２側に連結されており、前述したように、第一戸体２の開放操作に伴い、第二戸体３は第一戸体２の半分の速度で開放作動するように設定されている。
そして、第一、第二戸体２、３が全開姿勢となる前の段階で、把手２ｂを介した開放作動力が消失（解消）すると、第一、第二戸体２、３は、自閉装置１６による閉鎖作動を行い、全閉姿勢となる前の段階では制動装置１８による制動を受けた状態隣、第一戸体２が開口部の戸先側枠体に衝接することなく全閉姿勢に変姿するように設定されている。
【００１８】
これに対し、把手２ｂを介して第一、第二戸体２、３を全開姿勢となるべく開放操作した場合では、全開姿勢となる少し前の段階で、ストッパ装置１７のローラ受け具１７cが強制上動（強制押動）し、第一、第二戸体２、３が全開姿勢に変姿することに伴い、ストッパローラ１７ａがローラ受け具１７ｃに係合し、これによって、第一、第二戸体２、３は全開姿勢が維持されるように構成されている。そして、この状態から、第一、第二戸体２、３を閉鎖作動させる場合では、把手２ｂを把持して強く閉鎖方向に押しやることで、ストッパ装置１７による全開姿勢保持が解除され、この状態となると、自閉装置１６のワイヤ１６ａによる閉鎖力（蓄勢力）を受けて全閉姿勢となるまで閉鎖するように設定されている。
【００１９】
そして、前記閉鎖作動の過程では、第一戸体２が自閉装置１６のワイヤ１６ａに閉鎖方向に引っ張られる構成であり、該第一戸体２の閉鎖作動により、第二戸体３は、戸尻側プーリ１１に懸回された第二ベルト１４を介して閉鎖方向の作動力を受けて作動する。この状態において、第二ベルト１４は、ベルト固定部１２の戸尻側固定部１２ｂを支点とし、第二戸体３に設けられた戸尻側プーリ１１を巻回して第一戸体２側に連結されており、前述したように、第一戸体２の閉鎖操作に伴い、第二戸体３は第一戸体２の半分の速度で閉鎖作動するように設定されている。
【００２０】
そして、このように構成された引き戸装置１において、第一、第二戸体２、３が開閉作動する過程において、第一、第二戸体２、３は、第一戸体２が第一走行レール６を走行して第二戸体３に対して変位することに基づいて、第一、第二戸体２、３全体の重心が変位するが、本実施の形態では、前述したように、第一、第二戸体２、３全体の重心位置が、何れの解放状態であっても第二走行レール８に吊持状に支持される一対の第二案内ローラ７のあいだに位置するように設定されている。これによって、第一戸体２が第二戸体３に片持ち状に支持されることなく、一対の第二案内ローラ７に対して荷重バランスのよい状態で支持されることになって、安定した開閉作動を実現できるように構成されている。
【００２１】
上述の如く構成された本形態において、左右方向に広い開口を、左右二枚の第一、第二戸体２、３により開閉することで、開口部側部に配される戸袋部４の左右幅を小さく構成できるようにしたものにおいて、第一、第二戸体２、３は、第二戸体３の板厚方向中間部に第一戸体２を収納する構成としたので、戸袋部４の開口に大きな隙間ができてしまうようなことがなく、指詰め等の惧れをなくすことができる。さらにこの場合に、第一戸体２は、左右両端部に設けられた第一案内ローラ５がともに第一走行レール６を走行する構成となっているので、第一戸体２の吊持支点が同じ位置となって、しかも、吊持支点までの上下方向長さを短くできて、第一戸体２は、戸面に直交する方向の強度を大きく確保することができて、安定した状態で第一走行レール６を走行することが可能となる。そのうえ、第二走行レール８に吊持状に支持される一対の案内ローラ７の対向間（対向間隔）が第一走行レール６の戸先側部位と第二戸体３の戸尻側部位となって、レール長方向（左右方向）に長く確保できるので、第一戸体２が第二戸体３に片持ちされるようなことがなく、バランスよく支持することができるうえ、第二戸体３を安定した走行状態とすることができ、操作性のよい引き戸装置１にできる。
【００２２】
このように、本発明が実施されたものにあっては、第一戸体２が安定した状態で走行するものであるが、本実施の形態では、第一、第二戸体２、３全体の重心位置が、第二走行レール８に吊持状に支持される一対の第二案内ローラ７のあいだに位置しているので、第二案内ローラ７が受ける第一、第二戸体２、３の荷重バランスがよくなって、一層安定した開閉作動を実現できる。
【００２３】
さらに、本実施の形態では、戸先側プーリ１０、戸尻側プーリ１１、第一ベルト１３、第二ベルト１４を備えた連動機構が設けられ、第一、第二戸体２、３の何れか一方を開閉操作することにより、第二、第一戸体３、２がこれに連動して開閉作動するので、操作性のよい引き戸装置１とすることができる。しかも、この場合に、戸先側、戸尻側の各プーリ１０、１１が動滑車として機能するように構成されているので、第二戸体３の開閉速度に対して第一戸体２は倍の開閉速度となって開閉作動するので、両戸体２、３の全開、全閉姿勢への変姿が円滑、かつ、操作者に違和感なく行うことが可能となる。
【００２４】
また、本実施の形態では、自閉装置１６が設けられているので、第一、第二戸体２、３を全開姿勢としない状態で操作を止めた場合では、第一、第二戸体２、３を自動的に閉鎖作動させることができ、一層操作性のよい引き戸装置１とすることができる。
【００２５】
そのうえ、本実施の形態において、自閉装置１６は第一戸体２に連結されているので、自閉装置１６のワイヤ１６ａの蓄勢力を小さく設定することができて、小型化を図れる。
【００２６】
また、本実施の形態において、制動装置１８が設けられているので、第一、第二戸体２、３が全閉姿勢となるときに、第一戸体２の戸先が開口部の戸先側枠体に衝撃的に当接してしまうような不具合を回避できる。
【００２７】
尚、本発明は、前記実施の形態に限定されないことは勿論であって、開口部を開閉する戸体を、三枚、四枚・・・等、複数枚のものを用いる構成としてもよく、その一例としての第二の実施の形態を図７に示す。
前記第二の実施の形態では、戸体を第一、第二、第三戸体１９、２０、２１の三枚として構成し、第二、第三戸体２０、２１にそれぞれ第一、第二戸体走行レール２２、２３を設け、第一戸体走行レール２２に第一戸体１９に設けた案内ローラ１９ａが吊持され、第二戸体走行レール２３に第二戸体２０と第一戸体走行レール２２とに設けた案内ローラ２０ａ、２２ａが吊持され、第三戸体２１と第二戸体走行レール２３とに設けた案内ローラ２１ａ、２３ａは、躯体側に設けた躯体走行レール２４に吊持される構成となっており、前記第一の実施の形態と基本構成が同様となっている。そして、これら第一、第二、第三戸体１９、２０、２１を連動連結する連動機構についても、前記第一の実施の形態と同様の基本構成であって、第一、第二戸体走行レール２２、２３にそれぞれ設けたプーリ２２ｂ、２３ｂとベルト２２ｃ、２３ｃとを用い、プーリ２２ｂ、２３ｂを動滑車として機能せしめ、第一、第二、第三戸体１９、２０、２１が所定の速度比で開閉作動するように構成されている。そして、この場合でも、第一、第二、第三戸体１９、２０、２１の全体の荷重の重心が、躯体走行レール２４に吊持される案内ローラ２１ａ、２３ａのあいだに位置していて、各戸体１９、２０、２１の安定な走行が確保されている。さらには、本実施の形態では、第一、第二戸体１９、２０との合成された重心が第二走行レール２３に吊持される案内ローラ２２ａ、２０ａのあいだに位置するように構成されており、これによって、各戸体１９、２０、２１の一層安定した状態での走行を確保できる。
【００２８】
さらに、各戸体の連動機構としては、図８（Ａ）に示す第三の実施の形態のようにすることもできる。本実施の形態は、第一、第二戸体２５、２６を用いて構成されており、第一戸体２５の戸先側と戸尻側戸に平行片２５ａ、２５ｂを設け、第二戸体２６に設けた第一走行レール２７の戸先側と、第二戸体２６の戸尻側とに係合受け片２７ａ、２６ａをそれぞれ設け、第一戸体２５の開閉作動に基づいて第一戸体２５の係合片２５ａまたは２５ｂが、係合受け片２７ａまたは２６ａに係合することにより連動する構成となっている。この場合は、第一戸体２５と第二戸体２６とは、先行して第一戸体２５が作動し、係合片２５ａ、２５ｂと係合受け片２７ａ、２６ａとの係合がなされた後に連動する構成となる。
さらに戸体の連結機構としては、図８（Ｂ）に示す第四の実施の形態のように構成することもできる。本実施の形態は、第一、第二、第三戸体２８、２９、３０の三枚の戸体を備えて構成され、第二、第三戸体２９、３０の戸先側の表裏に、表裏方向内側に突出する係合片２９ａ、３０ａを形成する一方、第一、第二戸体２８、２９の戸尻に表裏方向外側に突出する係合受け片２８ａ、２９ｂを設ける構成となっている。そして、本実施の形態では、第三戸体３０の戸尻に係合受け片３０ｂを設ける一方、戸袋３１の戸先側縁部に係合片３１ａが設けられている。
そして、第三、第四何れの実施の形態においても、各戸体を前記第一、第二の実施の形態と同様に構成された状態で走行レールに支持させることにより、各戸体をバランスのよい吊持状態として、安定した走行の引き戸装置とすることができる。
【図面の簡単な説明】
【００２９】
【図１】引き戸装置の概略全体正面図である。
【図２】引き戸装置の要部の拡大正面図である。
【図３】引き戸装置の一部切り欠き平面断面図である。
【図４】引き戸装置の平面断面図である。
【図５】引き戸装置の一部切り欠き側面断面図である。
【図６】引き戸装置の全開姿勢を説明する拡大正面図である。
【図７】図７（Ａ）、（Ｂ）はそれぞれ第二の実施の形態の正面から見たパターン図、平面から見たパターン図である。
【図８】図８（Ａ）、（Ｂ）はそれぞれ第三の実施の形態の正面からみたパターン図、第四の実施の形態の平面断面を説明するパターン図である。
【符号の説明】
【００３０】
１    引き戸装置
２    第一戸体
３    第二戸体
４    戸袋部
５ａ    ローラブラケット
５    第一案内ローラ
６    第一走行レール
７    第二案内ローラ
８    第二走行レール
１０    戸先側プーリ
１１    戸尻側プーリ
１２    ベルト固定部
１３    第一ベルト
１４    第二ベルト
１５    ベルト連結体
１６    自閉装置
１７    ストッパ装置
１８    制動装置
【図１】
2006104830.tif 000003
【図２】
2006104830.tif 000004
【図３】
2006104830.tif 000005
【図４】
2006104830.tif 000006
【図５】
2006104830.tif 000007
【図６】
2006104830.tif 000008
【図７】
2006104830.tif 000009
【図８】
2006104830.tif 000010